(57)【要約】本発明は、レンズ装着者の虹彩の自然な色を変化させるコンタクトレンズおよびその製造方法を提供する。レンズは、透明な中央領域と半透明な色付き領域を有する半透明な色を持つベース層を、一つ以上の半透明な色付き層、一つ以上の不透明な色付き層、またはこれらの組合せと一緒に使用することにより達成される。各付加的な層は、透明な中央領域と色付き領域を有する。
2004533629.tif 000002
【特許請求の範囲】
【請求項１】
少なくとも一つの面が、ベース層と一つ以上の付加的な色付き層とを備えており、
前記ベース層は、透明な中央領域と半透明な色付き領域を有しており、
前記付加的な色付き層は、第２の半透明な色付き層、不透明な色付き層、およびこれらの組合せから本質的に構成された群から選択されており、
各付加的な色付き層は、透明な中央領域と色付き領域を有することを特徴とするコンタクトレンズ。
【請求項２】
前記ベース層の前記色付き領域および前記付加的な色付き層の前記色付き領域は、虹彩の面積の約８５％より多い面積を覆うことを特徴とする請求項１に記載のレンズ。
【請求項３】
前記ベース層および前記付加的な色付き層は、虹彩の面積の約９０％より多い面積を覆うことを特徴とする請求項１に記載のレンズ。
【請求項４】
前記ベース層の前記色付き領域は、虹彩の面積の約８５％〜約９９％を覆い、前記一以上の付加的な色付き層の前記色付き領域は、虹彩の面積の約４０％〜約７０％を覆うことを特徴とする請求項２に記載のレンズ。
【請求項５】
前記ベース層の前記色付き領域は、虹彩の面積の約８５％〜約９９％を覆い、前記一以上の付加的な色付き層の前記色付き領域は、虹彩の面積の約４０％〜約７０％を覆うことを特徴とする請求項３に記載のレンズ。
【請求項６】
前記ベース層の前記色付き領域は均一な色を有することを特徴とする請求項１に記載のレンズ。
【請求項７】
前記ベース層の前記色付き領域は、円形、楕円形、三角形、線形、縞形、羽毛に類似した形、およびこれらの組合せから構成される群から選択された複数の透明形状または色付き形状を有することを特徴とする請求項６に記載のレンズ。
【請求項８】
前記ベース層の前記色付き領域は均一な色を有することを特徴とする請求項２に記載のレンズ。
【請求項９】
前記ベース層の前記色付き領域は、円形、楕円形、三角形、線形、縞形、羽毛に類似した形、およびこれらの組合せから構成される群から選択された複数の透明形状または色付き形状を有することを特徴とする請求項８に記載のレンズ。
【請求項１０】
一つのベース色付き層と二つの不透明な色付き層を備えることを特徴とする請求項８に記載のレンズ。
【請求項１１】
前記ベース層の前記色付き領域は半径方向に徐々に変化する色を有することを特徴とする請求項１に記載のレンズ。
【請求項１２】
前記ベース層の前記色付き領域は、円形、楕円形、三角形、線形、縞形、羽毛に類似した形、およびこれらの組合せから構成される群から選択された複数の透明形状または色付き形状を有することを特徴とする請求項１１に記載のレンズ。
【請求項１３】
前記ベース層の前記色付き領域は半径方向に徐々に変化する色を有することを特徴とする請求項２に記載のレンズ。
【請求項１４】
前記ベース層の前記色付き領域は、円形、楕円形、三角形、線形、縞形、羽毛に類似した形、およびこれらの組合せから構成される群から選択された複数の透明形状または色付き形状を有することを特徴とする請求項１３に記載のレンズ。
【請求項１５】
透明なプレポリマー層をさらに備えることを特徴とする請求項１に記載のレンズ。
【請求項１６】
アクアフィルコン（acquafilcon）、エタフィルコン、ゲンフィルコン（genfilcon）、またはレネフィルコン（lenefilcon）をさらに有することを特徴とする請求項１に記載のレンズ。
【請求項１７】
前記付加的な色付き層は一つ以上の第２の半透明な色付き層を有しており、各第２の半透明な色付き層は均一な色を持つ色付き領域を有することを特徴とする請求項６，７，８，９，１１，１２または１３に記載のレンズ。
【請求項１８】
前記一つ以上の第２の半透明な色付き層の前記色付き領域は、円形、楕円形、三角形、線形、縞形、羽毛に類似した形、およびこれらの組合せから構成される群から選択された複数の透明形状または色付き形状を有することを特徴とする請求項１７に記載のレンズ。
【請求項１９】
前記付加的な色付き層は一つ以上の第２の半透明な色付き層を有しており、各第２の半透明な色付き層は半径方向に徐々に変化する色を持つ色付き領域を有することを特徴とする請求項６，７，８，９，１１，１２または１３に記載のレンズ。
【請求項２０】
前記一つ以上の第２の半透明な色付き層の前記色付き領域は、円形、楕円形、三角形、線形、縞形、羽毛に類似した形、およびこれらの組合せから構成される群から選択された複数の透明形状または色付き形状を有することを特徴とする請求項１９に記載のレンズ。
【請求項２１】
前記付加的な色付き層は一つ以上の不透明な色付き層を有しており、各不透明な色付き層は均一な色を持つ色付き領域を有することを特徴とする請求項６，７，８，９，１１，１２，１３，１７，１８，１９または２０に記載のレンズ。
【請求項２２】
前記一つ以上の不透明な色付き層の前記色付き領域は、円形、楕円形、三角形、線形、縞形、羽毛に類似した形、およびこれらの組合せから構成される群から選択された複数の透明形状または色付き形状を有することを特徴とする請求項２１に記載のレンズ。
【請求項２３】
前記付加的な色付き層は一つ以上の不透明な色付き層を有しており、各不透明な色付き層は半径方向に徐々に変化する色を持つ色付き領域を有することを特徴とする請求項６，７，８，９，１１，１２，１３，１７，１８，１９または２０に記載のレンズ。
【請求項２４】
前記一つ以上の不透明な色付き層の前記色付き領域は、円形、楕円形、三角形、線形、縞形、羽毛に類似した形、およびこれらの組合せから構成される群から選択された複数の透明形状または色付き形状を有することを特徴とする請求項２３に記載のレンズ。
【請求項２５】
レンズの一つの面に、ベース層と一つ以上の付加的な色付き層とを堆積させる工程を備えており、
前記ベース層は、透明な中央領域と半透明な色付き領域を有しており、
前記付加的な色付き層は、第２の半透明な色付き層、不透明な色付き層、およびこれらの組合せから本質的に構成された群から選択されており、
各付加的な色付き層は、透明な中央領域と色付き領域を有することを特徴とする色付きコンタクトレンズの製造方法。
【請求項２６】
レンズの型の一つの面に、ベース層と一つ以上の付加的な色付き層とを堆積させる工程を備えており、
前記ベース層は、透明な中央領域と半透明な色付き領域を有しており、
前記付加的な色付き層は、第２の半透明な色付き層、不透明な色付き層、およびこれらの組合せから本質的に構成された群から選択されており、
各付加的な色付き層は、透明な中央領域と色付き領域を有することを特徴とする色付きコンタクトレンズの製造方法。
【請求項２７】
前記色付き層の前記色付き領域は、虹彩の面積の約８５％より多い面積を覆うことを特徴とする請求項２５または請求項２６に記載の方法。
【請求項２８】
前記色付き層の前記色付き領域は、虹彩の面積の約９０％より多い面積を覆うことを特徴とする請求項２５または請求項２６に記載の方法。
【請求項２９】
前記ベース層の前記色付き領域は、虹彩の面積の約８５％〜約９９％を覆い、前記付加的な色付き層の前記色付き領域は、虹彩の面積の約４０％〜約７０％を覆うことを特徴とする請求項２７に記載の方法。
【請求項３０】
前記ベース層の前記色付き領域は、虹彩の面積の約８５％〜約９９％を覆い、前記付加的な色付き層の前記色付き領域により覆われる範囲の合計は、虹彩の面積の約４０％〜約７０％であることを特徴とする請求項２８に記載の方法。
【請求項３１】
前記半透明なベース層は、他のいずれかの色付き層を堆積させる前に前記型に堆積させることを特徴とする請求項２６に記載の方法。
【請求項３２】
前記堆積をパッド印刷により行うことを特徴とする請求項２６または請求項３１に記載の方法。
【発明の詳細な説明】
【発明の内容の開示】
【０００１】
発明の技術分野．
本発明は、色付きコンタクトレンズに関する。特に本発明は、レンズ装着者の虹彩の自然な色を変化させるコンタクトレンズを提供する。
【０００２】
発明の背景．
装着者の虹彩の自然な色を変化させるコンタクトレンズを使用することが知られている。これらのレンズの中には、瞳孔および虹彩を覆う半透明な色を使用したものがある。これは、明るい部分を吸収する虹彩領域と瞳孔領域の相違を最小限にする。ただし、このデザインは網膜に届く光の全体としての減少を招く。他のレンズでは、虹彩のみを覆う不透明な形状が使用され、自然な虹彩の一部が見えるようになっている。これらのレンズの不利益は、特に低い照明の下では、周辺視認領域で、ぶれまたはもやが起こるために視認領域が制限されることである。従って、虹彩の自然な色を変化させるが、前記の不利益のいくつかを解消できるコンタクトレンズに関する要望が存在する。
【０００３】
発明および好ましい実施の形態の詳細な説明．
本発明は、レンズ装着者の虹彩の自然な色を変化させるコンタクトレンズおよびその製造方法を提供する。本発明のレンズは、虹彩の自然な外見をもたらすと同時に、全ての照明状態の下での周辺および全体の視覚を良好にする。本発明者の発見によれば、これらの特性は、色付きレンズにおいて、透明な中央領域と半透明な色付き領域を有する半透明な色を持つベース層を、一つ以上の半透明な色付き層、一つ以上の不透明な色付き層、またはこれらの組合せと一緒に使用することにより達成される。各付加的な層は、透明な中央領域と色付き領域を有する。
【０００４】
一つの実施の形態において、本発明は、ベース層と一つ以上の付加的な色付き層とを備えたコンタクトレンズの少なくとも一つの面を提供し、前記ベース層は、透明な中央領域と半透明な色付き領域を有しており、前記付加的な色付き層は、第２の半透明な色付き層、不透明な色付き層、およびこれらの組合せから構成された群から選択されており、各付加的な色付き層は、透明な中央領域と色付き領域を有する。本発明のために、用語「半透明」とは、波長３８０ｎｍ〜７８０ｎｍの範囲において約６０（％Ｔ）以上、好ましくは約６５（％Ｔ）以上の平均光線透過率（％Ｔ）を可能にする色を意味する。用語「透明」とは、波長３８０ｎｍ〜７８０ｎｍの範囲において０〜約５５（％Ｔ）、好ましくは７〜約５０（％Ｔ）の平均光線透過率（％Ｔ）を可能にする色を意味する。
【０００５】
前記色付き層は、レンズの背面（眼球側）と正面（対物側）のいずれかまたは両方に設けてもよいが、好ましくは前記層の全てはレンズの正面に配置される。さらに、前記の層は、いかなる順序で塗布または印刷してよい。例えばベース層を半透明不透明層の背後に設けてもよいし、一つ以上の不透明層の間に設けてもよい。好ましくは、ベース層はレンズの面の最も外側の色付き層である。さらに他の実施の形態では、透明なプレポリマー層を前記色付き層と共に使用してもよい。当業者であれば、本発明のレンズの多数の実施の形態のいくつかが可能であることを理解するであろう。
【０００６】
前記層の各々のために選択される色は、レンズ装着者の虹彩の自然な色、および自然な色が変更されるべき色によって決定されるであろう。従って、ベース層は、青、緑、灰色、茶色、黄色、赤またはこれらの組合せのうち様々な色相および彩度を含みこれらに限定もされないいずれかの色である。付加的な半透明層は、ベース層の色を補ういずれかの色、または色相、彩度および明度のうち一つ以上についてその色を変更した色であってもよい。半透明層は、白または黒を含むこれらの色のいかなるものでもよい。
【０００７】
本発明は、いずれかの公知のレンズ形成材料またはこのようなレンズを形成するのに適した材料から形成される色付きのハードコンタクトレンズまたはソフトコンタクトレンズを提供するのにも使用できる。好ましくは、本発明のレンズはソフトコンタクトレンズであり、本発明のレンズを形成するのに選択された材料は、ソフトコンタクトレンズを製造するのに適したいかなる材料でもよい。本発明の方法を使用してソフトコンタクトレンズを形成するのに適した好ましい材料には、シリコーン（silicone）エラストマー、シリコーン含有マクロマー（macromers）、ヒドロゲル、シリコーン含有ヒドロゲルなど、およびこれらの組合せがあるが、これらには限定されない。シリコーン含有マクロマーには、米国特許第５，３７１，１４７号、同第５，３１４，９６０号、および同第５，０５７，５７８号に開示されたものがあるが、これらには限定されない。これらの特許の開示内容はここで言及することにより本願の開示の一部をなす。さらに好ましくは、レンズの面は、シロキサンであるか、シロキサン機能性を有するか、シリコーン・ヒドロゲルであるか、もしくはヒドロキシ基かカルボキシル基かその両方を含むヒドロゲルであるか、または例えばシロキサン、ヒドロゲル、シリコンヒドロゲルおよびこれらの組合せのようなシリコン含有ポリマーから形成される。シロキサン機能性を有する物としては、ポリジメチル・シロキサン・マクロマー、メタクリロキシプロピル・ポリアルキル・シロキサン、およびこれらの混合物があるが、これらには限定されない。ソフトコンタクトレンズを製造する材料は周知であり市販されている。好ましくは、この材料はアクアフィルコン（acquafilcon）、エタフィルコン、ゲンフィルコン（genfilcon）、またはレネフィルコン（lenefilcon）である。
【０００８】
本発明によるレンズは、第１の半透明色を持つベース層を有する少なくとも一面を有する。図１には本発明のレンズのためのベース層１０が示されている。ベース層１０は透明な中央領域１１を有し、その直径は、レンズが水和した状態にある場合に、中央領域１１が重なるレンズ装着者の瞳孔とほぼ同じかそれより小さい。通常の場合には中央領域１１は約４ｍｍ〜約６ｍｍの直径を有することになろう。中央領域１１は半透明な色付き領域１２で囲まれている。半透明な色付き領域１２はレンズ装着者の虹彩に重なるであろう。半透明な色付き領域１２は、レンズが水和した状態にある場合に、レンズ装着者の虹彩と同じかそれより小さい直径を有する。通常、半透明な色付き領域１２は約１０ｍｍ〜約１３ｍｍの直径を有することになろう。レンズがハードコンタクトレンズである場合には、通常は中央領域１１と半透明な色付き領域１２のみが存在するであろう。ソフトコンタクトレンズにあっては、図１には示されていないが、付加的な周辺領域が半透明な色付き領域１２を包囲する。
【０００９】
図１に示すように、半透明な色付き領域１２は均一な色を有する。図５、図９および図１３には、半透明な色が半径方向に徐々に変化する、すなわち色付き領域の周辺に向かうに連れて色の濃度が変化する代替的なベース層が示されている。この色変化は、色の濃度の増加と減少の一方でもよいし両方でもよい。他の実施の形態として、ベース層は複数の透明部分を有していてもよく、この場合の透明部分は円形、楕円形、三角形、線形、縞形、羽毛に類似した形など、およびこれらの組合せを含むがこれらに限定されないいずれかの形状を有していてもよい。さらに他の実施の形態として、ベース層の色付き領域は、例えば上に列挙した形状のような色付き形状を有していてもよい。ベース層で使用される色は、レンズ装着者の虹彩の自然な色および装着者が虹彩を変更しようとする色に依存して選択することができる。
【００１０】
不透明な色付き層および半透明な色付き層と同様に、半透明なベース層の色付き領域は、コンタクトレンズで使用するのに適したいかなる有機または無機顔料から形成されていてもよいし、これらの顔料の組合せから形成されていてもよい。その不透明性は、顔料および二酸化チタンの濃度を変えることにより調整することができ、量が高いほど高い不透明性をもたらすことができる。代表的な有機顔料には、フタロシアニンブルー、フタロシアニングリーン、カルバゾールバイオレット、バットオレンジ＃１など、およびこれらの組合せがあるが、これらに限定されない。使用できる無機顔料には、酸化鉄ブラック、酸化鉄ブラウン、酸化鉄イエロー、酸化鉄レッド、二酸化チタンなど、およびこれらの組合せがあるが、これらに限定されない。これらの顔料に加えて、溶解性または不溶性の染料を使用することができ、かかる染料には、ジクロロトリアジンおよびビニルスルホン基材染料があるが、これらに限定されない。使用できる染料および顔料は市販されている。
【００１１】
選択される染料及び顔料は、一つ以上のプレポリマーまたは結合ポリマー、および溶剤に混合されて、本発明のレンズで使用される半透明層および不透明層の製造に供される着色剤を形成する。プレポリマーは、顔料および使用される不透明剤を分散させることのできるいずれかのポリマーでよい。コンタクトレンズ着色剤に使用できる他の添加剤を使用してもよい。本発明による色付き層に使用できる結合ポリマー、溶剤および他の添加剤は、公知であり、市販されているか製造方法が知られている。
【００１２】
第１のベース層に加えて、一つ以上の付加的な色付き層が使用される。付加的な層は、一つ以上の半透明な色付き層、一つ以上の不透明な色付き層、およびこれらの組合せでよい。好ましい実施の形態では、二つの不透明な色付き層、または一つの第２の半透明層と一つの不透明な色付き層が使用される。付加的な色付き層の各々は、ベース層の色と同じか類似かこれを補う色を有していなければならず、自然な虹彩にとって望ましい色変化を達成することに貢献する。
【００１３】
付加的な半透明な色付き層の色付き領域は、均一な濃度を有していてもよいし、半径方向に徐々に変化する色を有していてもよいし、円形、楕円形、三角形、線形、縞形、羽毛に類似した形など、およびこれらの組合せを含むいずれかの複数の透明形状を有していてもよい。あるいは、この色付き領域は、例えば上に列挙した形状のような半透明な色付き形状を有していてもよい。透明形状を有する典型的な半透明な色付き層が図７および図１４に示されている。あるいは、半透明な色付き層は、図１０に示すような半透明ないずれかの複数の色付き形状を有していてもよい。
【００１４】
一つ以上の不透明な色付き層を本発明によるレンズに使用してもよい。不透明層の色付き領域は、均一な色を有していてもよいし、半径方向に徐々に変化する外見（たとえ不透明な色の濃度が変化しなくても、半径方向に徐々に変化する効果をもたらすように色付き領域内の複数の不透明な色付き形状のサイズ、濃度および配置が変化することを意味する）を有していてもよい。均一な色付き領域は、複数の透明形状を有していてもよく、この場合の透明形状は、円形、楕円形、三角形、線形、縞形、羽毛に類似した形など、およびこれらの組合せを含むがこれらに限定されない。あるいは、この色付き領域は、例えば上に列挙した形状のような不透明な色付き形状を有していてもよい。
【００１５】
図２〜図４は、複数の色付き層およびこれらの色付き層を有する一つの面を示す図である。図２には、中央領域２１つまり透明領域を有する不透明な色付き層２０が示されている。中央領域２１は、図１のベース層の対応する中央領域１１と同じか異なるサイズを有する。中央領域２１は、ベース層の半透明な色付き領域１２に重なる不透明な色付き領域２２で包囲されており、不透明な色付き領域２２はベース層の半透明な色付き領域１２と同じか異なるサイズを有する。図示のように、不透明な色付き領域２２は、様々な色付き形状を備える。これらの色付き形状は、円形および羽毛に類似した形に示されているが、様々な形状のいずれかでもよい。色付き形状に使用される数、サイズおよび形状は、レンズおよび使用されるベース層と付加的な不透明または半透明な層で達成すべき望ましい効果により決定されるであろう。
【００１６】
図３には、中央領域３１つまり透明領域を有する第２の不透明な色付き層３０が示されている。中央領域３１は、中央領域２１と同じか異なるサイズを有する。中央領域３１は、使用されるベース層の色付き領域と他の不透明な色付き層の色付き領域に重なる層であるところの不透明な色付き領域３２で包囲されており、不透明な色付き領域３２は不透明な色付き領域２２と同じか異なるサイズを有する。図示のように、不透明な色付き領域３２は複数の断続的な不透明形状のパターンを有する。これらの不透明な複数部分は、結果として生ずる像に奥行き（depth）を与えることに寄与する。
【００１７】
図４には、本発明による好ましいレンズ面４０が示されている。レンズ面４０は、図１のベース層１０、図２および図３の不透明な色付き層２０と第２の不透明な色付き層３０の組合せを表しており、透明領域４１と色付き領域４２を有する。好ましくは、ベース層がレンズ面の最も外側の層である。
【００１８】
図８には、本発明によるレンズ面８０が示されている。レンズ面８０の色は図５〜図７に示される色付き層によりもたらされる。図５には、半径方向に徐々に色が変化する半透明なベース層５０が示され、半透明なベース層５０は透明な無色領域５１と半透明な色付き領域５２を有する。図６には、透明領域６１と不透明な色付き領域６２を有する不透明な色付き層６０が示されている。不透明な色付き領域６２は複数の不透明な円形部分から構成されている。図７には、透明領域７１と均一な半透明な色付き領域７２を有する第２の半透明な色付き層７０が示されている。半透明な色付き領域７２には、複数の透明で無色の円形隙間がある。図８の色付き領域８２を得るには、図５の半透明なベース層５０をまず型に印刷し、図６の不透明な色付き層６０をその上に印刷し、さらに図７の第２の半透明な色付き層７０をその上に印刷する。
【００１９】
図１２には、本発明によるレンズ面３００が示されている。レンズ面３００の色は図９〜図１１に示される色付き層によりもたらされる。図９には、半径方向に徐々に色が変化する半透明なベース層９０が示され、半透明なベース層９０は透明な中央領域９１と半透明な色付き領域９２を有する。図１０には、透明な中央領域１０１と半透明な色付き領域１０２を有する半透明な色付き層１００が示されている。半透明な色付き領域１０２は複数の半透明な羽毛に類似した形状部分から構成されている。図１１には、透明な中央領域２０１と不透明な色付き領域２０２を有する不透明な層２００が示されている。不透明な色付き領域２０２は、複数の不透明な円形部分を有し、これらの円形部分は半径方向に徐々に外見が変化する形式で配置されている。
【００２０】
図１６には、本発明による他の実施の形態のレンズ面７００が示されている。レンズ面７００の色は図１３〜図１５に示される色付き層によりもたらされる。図１３には、半径方向に徐々に色が変化する半透明なベース層４００が示され、半透明なベース層４００は透明な中央領域４０１と半透明な色付き領域４０２を有する。図１４には、透明な中央領域５０１と半透明な色付き領域５０２を有する半径方向に徐々に色が変化する半透明な色付き層５００が示されている。半透明な色付き領域５０２は複数の無色透明の羽毛に類似した形状部分を有する。図１５には、透明な中央領域６０１と不透明な色付き領域６０２を有する不透明な色付き層６００が示されている。不透明な色付き領域６０２には、複数の不透明な羽毛に類似した形状部分がある。
【００２１】
本発明によるレンズを眼に装着すると、虹彩の約８５％より広い面積、好ましくは虹彩の約９０％以上の面積が、レンズに使用された全部の色付き層の色付き領域の組合せにより覆われる。このことは、自然な虹彩構造を遮ることなく、視機能に対する悪影響を与えることもなく、前記パターン内の奥行きの視認を可能にしながら、虹彩の色の変化を与えることができるという点で有利である。さらに、本発明による色付き層を使用することにより、虹彩における最も暗い色でも変化させることができる。ベース層の色付き領域の範囲は、好ましくは約８５％〜約９９％である。付加的な色付き層の色付き領域により覆われる範囲の合計は、約４０％〜約７０％である。
【００２２】
本発明によるレンズで使用される層は、レンズ面上にいずれかの従来の方法で塗布または印刷される。好ましい方法では、熱可塑性の光学部品型を使用する。この型は、環状ポリオレフィン、ならびに例えばプリプロピレンもしくはポリスチレン樹脂のようなポリオレフィンを含むがこれらには限定されないいずれかの適切な材料から形成される。例えば半透明なベース層のような色付き層は、型の成形面の所望の位置に堆積される。用語「成形面」は、レンズ面を形成するのに使用される型または半割型の面を意味する。この堆積は、レンズ面の最も外側の層が半透明なバース層になるように行う。好ましくは、堆積は下記のようなパッド印刷により行う。
【００２３】
まず、一旦硬化したら水に対して不溶性となることが可能なフォトレジスト材料を、好ましくは鋼、最も好ましくはステンレス鋼から形成された金属板で覆う。色付き層のパターンを選択またはデザインした後、例えば写真技術のような多数の技術のいずれかを使用することにより所望のサイズにこのパターンを縮減して金属板の上に配置し、さらにフォトレジスト材料を硬化させる。
【００２４】
パターンの形成の後、続いて金属板を水溶液で洗浄し、この結果生じた像を適切な深さ（例えば約２０μｍ）になるように金属板にエッチングする。結合ポリマー、溶剤、および顔料または染料を含む着色剤をこのエッチングされたパターン上に堆積させ、着色剤でこのエッチングされた凹部を充填する。面上に印刷する用途に適した幾何学形状を持ち、おおよそ約１から約１０まで変化する硬さのシリコン（silicon）パッドを金属板上の像に対して押しつけて着色剤を除去し、溶剤を揮発させることによりこの着色剤をわずかに乾燥させる。この後、このパッドを光学部品型の成形面に押しつける。さらに型にレンズ材料を充填した後、型を最大で１２時間真空にし、余分な溶剤および酸素を除去する。この後、補完的な半割型を使用して型組立体を完成し、使用されるレンズ材料を硬化するのに適した状態に型組立体をさらす。この状態は、この技術分野で周知であり、選択されたレンズ材料に依存するであろう。硬化が終了してレンズを型から放出したら、緩衝化した食塩水内にレンズを釣り合わせる。
【図面の簡単な説明】
【００２５】
【図１】本発明による半透明な色付きベース層の平面図の走査画像である。
【図２】本発明による第１の不透明な色付き層の平面図の走査画像である。
【図３】本発明による第２の不透明な色付き層の平面図の走査画像である。
【図４】図１〜図３の色付き層を有する本発明によるレンズ面の実施の形態の平面図の走査画像である。
【図５】本発明による半透明な色付きベース層の平面図の走査画像である。
【図６】本発明による不透明な色付き層の平面図の走査画像である。
【図７】本発明による第２の半透明な色付き層の平面図の走査画像である。
【図８】図５〜図７の色付き層を有する本発明によるレンズ面の実施の形態の平面図の走査画像である。
【図９】本発明による半透明な色付きベース層の平面図の走査画像である。
【図１０】本発明による第２の半透明な色付き層の平面図の走査画像である。
【図１１】本発明による不透明な色付き層の平面図の走査画像である。
【図１２】図９〜図１１の色付き層を有する本発明によるレンズ面の実施の形態の平面図の走査画像である。
【図１３】本発明による半透明な色付きベース層の平面図の走査画像である。
【図１４】本発明による第２の半透明な色付き層の平面図の走査画像である。
【図１５】本発明による不透明な色付き層の平面図の走査画像である。
【図１６】図１２〜図１５の色付き層を有する本発明によるレンズ面の実施の形態の平面図の走査画像である。
【国際公開パンフレット】
2004533629.tif 000003
2004533629.tif 000004
2004533629.tif 000005
2004533629.tif 000006
2004533629.tif 000007
2004533629.tif 000008
2004533629.tif 000009
2004533629.tif 000010
2004533629.tif 000011
2004533629.tif 000012
2004533629.tif 000013
2004533629.tif 000014
2004533629.tif 000015
2004533629.tif 000016
2004533629.tif 000017
2004533629.tif 000018
2004533629.tif 000019
2004533629.tif 000020
2004533629.tif 000021
2004533629.tif 000022
2004533629.tif 000023
2004533629.tif 000024
2004533629.tif 000025
2004533629.tif 000026
2004533629.tif 000027
【国際公開パンフレット（コレクトバージョン）】
2004533629.tif 000028
2004533629.tif 000029
【国際調査報告】
2004533629.tif 000030
2004533629.tif 000031
2004533629.tif 000032
2004533629.tif 000033